(57)【要約】 本発明は、長手方向に長く短手方向に短い細長で短手方向に傾斜した空気吹出口を有するレジスタにおいて、前可動ルーバを空気吹出口の傾斜側に振ったときの風の指向性を向上させることができるレジスタを提供することを目的とする。 前可動ルーバ（３）は、１枚の中央横フィン（７）を空気吹出口（１７）内側の略上下中央に水平横方向に向け回動可能に軸支する一方、空気吹出口内側の上壁面に設けた収納凹部に上補助横フィン（８）を収納可能に且つ水平横方向に向けて回動可能に軸支し、下壁面に設けた収納凹部に下補助横フィン（９）を収納可能に水平横方向に向けて回動可能に軸支して構成される。中央横フィン（７）を下側に振ったとき、上補助横フィン（８）は平坦面が中央横フィン（７）と略平行となるように回動し、下補助横フィン（９）は膨出曲面を上流側に向けて流路側に迫り出し、中央横フィン（７）を上側に振ったとき、下補助横フィン（９）は平坦面が中央横フィン（７）と略平行となるように回動し、上補助横フィン（８）は膨出曲面を上流側に向けて流路側に迫り出すように回動する。
2013128763.tif 000002
【特許請求の範囲】
【請求項１】
水平横方向に長く上下縦方向に短い細長の空気吹出口を有し、該空気吹出口の内側前部に該水平横方向に沿って前可動ルーバが配設され、該空気吹出口が上部を上流側に後退させ下部を下流側に突き出すように傾斜して形成されたレジスタにおいて、  該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、  該中央横フィンは両側に突設した支軸により回動可能に軸支され、該上補助横フィン及び下補助横フィンは、一面を膨出曲面とし、他面を平坦面として形成されるとともに、流路側に迫り出し回動可能に軸支され、  該中央横フィンを下側に振ったとき、該上補助横フィンは該平坦面が該中央横フィンと略平行となるように回動し、該下補助横フィンは該膨出曲面を上流側に向けて流路側に迫り出すように回動し、該中央横フィンを上側に振ったとき、該下補助横フィンは該平坦面が該中央横フィンと略平行となるように回動し、該上補助横フィンは該膨出曲面を上流側に向けて流路側に迫り出すように回動することを特徴とするレジスタ。
【請求項２】
前記中央横フィンは、両側の下流側端部に突設した支軸により回動可能に軸支されることを特徴とする請求項１記載のレジスタ。
【請求項３】
前記前可動ルーバの下補助横フィン及び上補助横フィンの支軸は、アーム部を介した偏移支軸として設けられ、該下補助横フィン及び該上補助横フィンはフィン本体の外側に偏移した該偏移支軸の回りで回動することを特徴とする請求項１記載のレジスタ。
【請求項４】
前記下補助横フィン及び上補助横フィンの偏移支軸は、前記中央横フィンの支軸より上流側の流路内に位置することを特徴とする請求項３記載のレジスタ。
【請求項５】
前上補助横フィンの偏移支軸は、前記下補助横フィンの偏移支軸より、上流側の流路内に位置することを特徴とする請求項４記載のレジスタ。
【請求項６】
前記前可動ルーバの中央横フィンの支軸、前記下補助横フィン及び上補助横フィンの偏移支軸には、フィン回動機構が連係され、該フィン回動機構は、該中央横フィンの下方への回動操作時、該上補助横フィンを該中央横フィンと同じ方向に同じ角度だけ回動させ、該下補助横フィンを該中央横フィンと同じ方向に該中央横フィンより大きい角度で回動させ、該中央横フィンの上方への回動操作時、該下補助横フィンを該中央横フィンと同じ方向に同じ角度だけ回動させ、該上補助横フィンを該中央横フィンと同じ方向に該中央横フィンより大きい角度で回動させることを特徴とする請求項３記載のレジスタ。
【請求項７】
前記フィン回動機構は前記中央横フィン、前記下補助横フィン及び上補助横フィン用の各々のカム溝を設けたカム部材を備え、該カム部材は前記リテーナの側部に上下往復移動可能に配設され、該各カム溝には各々カムロールが係合し、該中央横フィン用のカムロールはアームを介して該中央横フィンの支軸に連結され、該下補助横フィン用のカムロールはアームを介して該下補助横フィンの偏移支軸に連結され、該上補助横フィン用のカムロールはアームを介して該上補助横フィンの偏移支軸に連結されることを特徴とする請求項６記載のレジスタ。
【請求項８】
上下縦方向に長く水平横方向に短い細長の空気吹出口を有し、該空気吹出口の内側前部に該上下縦方向に沿って前可動ルーバが配設され、該空気吹出口が一方の側部を上流側に後退させ他方の側部を下流側に突き出すように傾斜して形成されたレジスタにおいて、  該前可動ルーバは１枚の中央縦フィンを該空気吹出口内側の略左右中央に該上下縦方向に向け回動可能に軸支する一方、該空気吹出口内側の後退側の側壁面に設けた収納凹部に後退側補助縦フィンを収納可能に且つ該上下縦方向に向けて回動可能に軸支し、該空気吹出口内側の突出側の側壁面に設けた収納凹部に突出側補助縦フィンを収納可能に該上下縦方向に向けて回動可能に軸支して構成され、  該中央縦フィンは上下の支軸により左右方向に回動可能に軸支され、該後退側補助縦フィン及び突出側補助縦フィンは、一面を膨出曲面とし、他面を平坦面として形成されるとともに、流路側に迫り出し回動可能に軸支され、  該中央縦フィンを該突出側に振ったとき、該後退側補助縦フィンは該平坦面が該中央縦フィンと略平行となるように回動し、該突出側補助縦フィンは該膨出曲面を上流側に向けて流路側に迫り出すように回動し、該中央縦フィンを該後退側に振ったとき、該突出側補助縦フィンは該平坦面が該中央縦フィンと略平行となるように回動し、該後退側補助縦フィンは該膨出曲面を上流側に向けて流路側に迫り出すように回動することを特徴とするレジスタ。
【請求項９】
前記中央縦フィンは、両側の下流側端部に突設した支軸により回動可能に軸支されることを特徴とする請求項８記載のレジスタ。
【請求項１０】
前記前可動ルーバの突出側補助縦フィン及び後退側補助縦フィンの支軸は、アーム部を介した偏移支軸として設けられ、該突出側補助縦フィン及び後退側補助縦フィンはフィン本体の外側に偏移した該偏移支軸の回りで回動することを特徴とする請求項８記載のレジスタ。
【請求項１１】
前記突出側補助縦フィン及び後退側補助縦フィンの偏移支軸は、前記中央縦フィンの支軸より上流側の流路内に位置することを特徴とする請求項１０記載のレジスタ。
【請求項１２】
前記前可動ルーバの中央縦フィンの支軸、前記突出側補助縦フィン及び後退側補助縦フィンの偏移支軸には、フィン回動機構が連係され、該フィン回動機構は、該中央縦フィンの該突出側への回動操作時、該後退側補助縦フィンを該中央縦フィンと同じ方向に同じ角度だけ回動させ、該突出側補助縦フィンを該中央縦フィンと同じ方向に該中央縦フィンより大きい角度で回動させ、該中央縦フィンの後退側への回動操作時、該突出側補助縦フィンを該中央縦フィンと同じ方向に同じ角度だけ回動させ、該後退側補助縦フィンを該中央縦フィンと同じ方向に該中央縦フィンより大きい角度で回動させることを特徴とする請求項１０記載のレジスタ。
【発明の詳細な説明】
【技術分野】
【０００１】  本発明は、自動車等の空調の空気吹出口に使用される空気吹出調整用のレジスタに関し、特に長手方向に長く短手方向に短い細長で短手方向に傾斜した空気吹出口を有するレジスタに関する。【０００２】  自動車等の空調の空気吹出口に使用される空気吹出調整用のレジスタとして、通風路を形成するベゼルまたはリテーナ内に、横可動ルーバと縦可動ルーバを直交方向に前後して配設し、ベゼルに設けた空気吹出口から空気を吹き出す際、横可動ルーバ、縦可動ルーバの各フィンの角度を変えて空気の吹出し方向を上下左右に調整するレジスタが、一般に、自動車の空調装置などで使用されている。【０００３】  この種のレジスタとして、長手方向に長く短手方向に短い細長の長方形状の空気吹出口を有し、空気吹出口の内側に１〜３枚程度の少数の可動フィンを設けたレジスタが、主として意匠性やデザイン的なデマンドから、自動車の室内に設置される場合がある（例えば特許文献１等参照）。
【先行技術文献】
【特許文献】
【０００４】
【特許文献１】特開２００２−１０３９５４号公報
【特許文献２】特開２００４−２１０１１１号公報
【発明の概要】
【発明が解決しようとする課題】
【０００５】  一方、自動車の空調用に使用されるレジスタは、通常、インストルメントパネルの前面に開口して設置されるが、そこに設置されるディスプレイ、操作パネルなどとの関連で、レジスタの位置が、ダッシュボード近傍のインストルメントパネル上部に配置される場合がある。例えばインストルメントパネル上部のダッシュボード近傍にレジスタが配置されるような場合、インストルメントパネル上部のダッシュボード上面の傾斜面に合わせるように、レジスタの空気吹出口は、その上部を上流側に後退させ、その下部を下流側に突出させた傾斜状に形成される（例えば特許文献２等を参照）。【０００６】  このようなレジスタは、長手方向に長く短手方向に短い長方形で短手方向に傾斜した空気吹出口を有し、その空気吹出口はトータル的なデザインによっては、レジスタの前面の傾斜つまり空気吹出口の垂直面に対する傾斜角度が大きくなる（水平面に対する傾斜角度が小さくなる）場合がある。【０００７】  しかし、細長い空気吹出口の前面がその短手方向に傾斜し且つその傾斜が大きいレジスタでは、その傾斜側に（下側に）前フィンを振った場合、下側の空気流が空気吹出口の下壁面に沿って真直ぐ正面に吹出されるため、斜め下方に向かう空気流と干渉して、下側送風時の風の指向性が悪化しやすく、空気吹出口前面の垂直面に対する傾斜角度が大きくなるほど、下向き送風の指向性が悪化する課題があった。【０００８】  本発明は、上述の課題を解決するものであり、長手方向に長く短手方向に短い細長で短手方向に傾斜した空気吹出口を有するレジスタにおいて、前可動ルーバを空気吹出口の傾斜側に振ったときの風の指向性を向上させることができるレジスタを提供することを目的とする。
【課題を解決するための手段】
【０００９】  本発明に係るレジスタは、水平横方向に長く上下縦方向に短い細長の空気吹出口を有し、該空気吹出口の内側前部に該水平横方向に沿って前可動ルーバが配設され、該空気吹出口が上部を上流側に後退させ下部を下流側に突き出すように傾斜して形成されたレジスタにおいて、  該前可動ルーバは１枚の中央横フィンを該空気吹出口内側の略上下中央に該水平横方向に向け回動可能に軸支する一方、該空気吹出口内側の上壁面に設けた収納凹部に上補助横フィンを収納可能に且つ該水平横方向に向けて回動可能に軸支し、該空気吹出口内側の下壁面に設けた収納凹部に下補助横フィンを収納可能に該水平横方向に向けて回動可能に軸支して構成され、  該中央横フィンは両側に突設した支軸により回動可能に軸支され、該上補助横フィン及び下補助横フィンは、一面を膨出曲面とし、他面を平坦面として形成されるとともに、流路側に迫り出し回動可能に軸支され、  該中央横フィンを下側に振ったとき、該上補助横フィンは該平坦面が該中央横フィンと略平行となるように回動し、該下補助横フィンは該膨出曲面を上流側に向けて流路側に迫り出すように回動し、該中央横フィンを上側に振ったとき、該下補助横フィンは該平坦面が該中央横フィンと略平行となるように回動し、該上補助横フィンは該膨出曲面を上流側に向けて流路側に迫り出すように回動することを特徴とする。【００１０】  なお、ここで、上流側、下流側とは流路を流れる空気流の上流側または下流側を意味し、各部材において、前部は下流側の部位、後部は上流側の部位を意味する。【００１１】  この発明によれば、前可動ルーバを下側に振った場合には、中央横フィンが斜め下方を向くとともに、上補助横フィンの平坦面が中央横フィンと略平行となり且つ上補助横フィンの下流側端部が流路側に向けて迫り出すように回動するため、上補助横フィンと中央横フィンとの間からフィンによって良好にガイドされた空気流を下方に送風することができる。また、このとき、中央横フィンの下側を通過して前方に直進する空気流は下補助横フィンによって阻止され、且つ下補助横フィンの膨出曲面が上流側に向けて流路側に迫り出すように下補助横フィンが回動するため、流路の下部を通過する空気流が下補助横フィンの膨出曲面によって中央横フィン側に押し付けられるように作用し、これにより、下方への送風の指向性を大きく向上させることができる。【００１２】  また、前可動ルーバを上側に振った場合、中央横フィンが斜め上方を向くとともに、下補助横フィンの平坦面が中央横フィンと略平行となり且つ下補助横フィンの下流側端部が流路側に向けて迫り出すように回動するため、下補助横フィンと中央横フィンとの間からフィンによって良好にガイドされた空気流を上方に送風することができる。さらに、中央横フィンの上側を通過して前方に直進する空気流は上補助横フィンによって阻止され、上補助横フィンの膨出曲面が上流側に向けて流路側に迫り出すように回動するので、流路の上部を通過する空気流が上補助横フィンの膨出曲面によって中央横フィン側に押し付けられ、これにより、中央横フィンが向く上方への送風の指向性を向上させることができる。【００１３】  ここで、上記中央横フィンは両側の下流側端部��突設した支軸により回動可能に軸支されることが好ましい。これによれば、中央横フィンの前端部がベゼルの空気吹出口前方に突き出す部分が少なくなり、中央横フィンの突出によるレジスタ正面の意匠性の悪化を防止することができ、中央横フィンに摺動可能に設ける操作ノブの操作性を改善することができる。【００１４】  また、上記前可動ルーバの下補助横フィン及び上補助横フィンの支軸は、アーム部を介した偏移支軸として構成され、下補助横フィン及び上補助横フィンはフィン本体の外側に偏移した偏移支軸の回りで回動する構造とすることが好ましい。これによれば、簡単な構造で、下補助横フィン及び上補助横フィンを、中央横フィンの回動に応じて迫り出すように動作させることができる。【００１５】  また、上記下補助横フィン及び上補助横フィンの偏移支軸は、上記中央横フィンの支軸より上流側の流路内に位置することが好ましい。さらに、上補助横フィンの偏移支軸は、下補助横フィンの偏移支軸より、上流側の流路内に位置することが好ましい。これによれば、中央横フィンを上または下に振ったときの送風の指向性を向上させることができる。【００１６】  また、上記前可動ルーバの中央横フィンの支軸、下補助横フィン及び上補助横フィンの偏移支軸には、フィン回動機構が連係され、フィン回動機構は、該中央横フィンの下方への回動操作時、上補助横フィンを該中央横フィンと同じ方向に同じ角度だけ回動させ、下補助横フィンを該中央横フィンと同じ方向に該中央横フィンより大きい角度で回動させ、該中央横フィンの上方への回動操作時、下補助横フィンを該中央横フィンと同じ方向に同じ角度だけ回動させ、上補助横フィンを該中央横フィンと同じ方向に該中央横フィンより大きい角度で回動させるように構成することができる。【００１７】  ここで、上記フィン回動機構は、リテーナの側部に上下往復移動可能に配設され、上記中央横フィン、下補助横フィン及び上補助横フィン用の各々のカム溝を設けたカム部材と、該各カム溝に係合して移動する各々のカムロールとを備え、該中央横フィン用のカムロールはアームを介して該中央横フィンの支軸に連結され、該下補助横フィン用のカムロールはアームを介して該下補助横フィンの偏移支軸に連結され、該上補助横フィン用のカムロールはアームを介して該上補助横フィンの偏移支軸に連結される構成とすることができる。【００１８】  これによれば、フィン回動機構を比較的簡単に構成することができ、中央横フィンの上下回動操作に応じて、下補助横フィン及び上補助横フィンを各々所定の角度だけ回動させることができる。【００１９】  一方、他の発明のレジスタは、上下縦方向に長く水平横方向に短い細長の空気吹出口を有し、該空気吹出口の内側前部に該上下縦方向に沿って前可動ルーバが配設され、該空気吹出口が一方の側部を上流側に後退させ他方の側部を下流側に突き出すように傾斜して形成されたレジスタにおいて、該前可動ルーバは１枚の中央縦フィンを該空気吹出口内側の略左右中央に該上下縦方向に向け回動可能に軸支する一方、該空気吹出口内側の後退側の側壁面に設けた収納凹部に後退側補助縦フィンを収納可能に且つ該上下縦方向に向けて回動可能に軸支し、該空気吹出口内側の突出側の��壁面に設けた収納凹部に突出側補助縦フィンを収納可能に該上下縦方向に向けて回動可能に軸支して構成され、該中央縦フィンは上下の支軸により左右方向に回動可能に軸支され、該後退側補助縦フィン及び突出側補助縦フィンは、一面を膨出曲面とし、他面を平坦面として形成されるとともに、流路側に迫り出し回動可能に軸支され、該中央縦フィンを該突出側に振ったとき、該後退側補助縦フィンは該平坦面が該中央縦フィンと略平行となるように回動し、該突出側補助縦フィンは該膨出曲面を上流側に向けて流路側に迫り出すように回動し、該中央縦フィンを該後退側に振ったとき、該突出側補助縦フィンは該平坦面が該中央縦フィンと略平行となるように回動し、該後退側補助縦フィンは該膨出曲面を上流側に向けて流路側に迫り出すように回動することを特徴とする。【００２０】  この発明によれば、前可動ルーバを空気吹出口の斜め左右方向の突出側に振った場合には、中央縦フィンが斜め突出側を向くとともに、後退側補助縦フィンの平坦面が中央縦フィンと略平行となり且つ後退側補助縦フィンの下流側端部が流路側に向けて迫り出すように回動するため、後退側補助縦フィンと中央縦フィンとの間からフィンによって良好にガイドされた空気流を空気吹出口の斜め突出側に指向性よく送風することができる。【００２１】  また、このとき、中央縦フィンの該突出側を通過して前方に直進する空気流は突出側補助縦フィンによって阻止され、且つ突出側補助縦フィンの膨出曲面が上流側に向けて流路側に迫り出すように突出側補助縦フィンが回動するため、流路の該突出側を通過する空気流が突出側補助縦フィンの膨出曲面によって中央縦フィン側に押し付けられ、これにより、中央縦フィンが向く突出側への送風の指向性を大きく向上させることができる。【００２２】  また、前可動ルーバを空気吹出口の斜め左右方向の後退側に振った場合、中央縦フィンが斜め後退側を向くとともに、突出側補助縦フィンの平坦面が中央縦フィンと略平行となり且つ突出側補助縦フィンの下流側端部が流路側に向けて迫り出すように回動するため、突出側補助縦フィンと中央横フィンとの間からフィンによって良好にガイドされた空気流を空気吹出口の斜め後退側に指向性よく送風することができる。また、このとき、中央縦フィンの後退側を通過して前方に直進する空気流は後退側補助縦フィンによって阻止され、後退側補助縦フィンの膨出曲面が上流側に向けて流路側に迫り出すように回動するので、流路の該後退側を通過する空気流が後退側補助縦フィンの膨出曲面によって中央縦フィン側に押し付けられ、これにより、中央縦フィンが向く後退側への送風の指向性を向上させることができる。【００２３】  ここで、上記中央縦フィンは両側の下流側端部に突設した支軸により回動可能に軸支されることが好ましい。これによれば、中央縦フィンの前端部がベゼルの空気吹出口前方に突き出す部分が少なくなり、中央縦フィンの突出によるレジスタ正面の意匠性の悪化を防止することができ、中央縦フィンに摺動可能に設ける操作ノブの操作性を改善することができる。【００２４】  また、上記前可動ルーバの突出側補助縦フィン及び後退側補助縦フィンの支軸は、アーム部を介した偏移支軸として構成され、突���側補助縦フィン及び後退側補助縦フィンはフィン本体の外側に偏移した偏移支軸の回りで回動する構造とすることが好ましい。【００２５】  また、上記突出側補助縦フィン及び後退側補助縦フィンの偏移支軸は、上記中央縦フィンの支軸より上流側の流路内に位置することが好ましい。【００２６】  また、上記前可動ルーバの中央縦フィンの支軸、突出側補助縦フィン及び後退側補助縦フィンの偏移支軸には、フィン回動機構が連係され、フィン回動機構は、該中央縦フィンの該突出側への回動操作時、後退側補助縦フィンを該中央縦フィンと同じ方向に同じ角度だけ回動させ、突出側補助縦フィンを該中央縦フィンと同じ方向に該中央縦フィンより大きい角度で回動させ、該中央縦フィンの後退側への回動操作時、突出側補助縦フィンを該中央縦フィンと同じ方向に同じ角度だけ回動させ、後退側補助縦フィンを該中央縦フィンと同じ方向に該中央縦フィンより大きい角度で回動させるように構成することができる。
【発明の効果】
【００２７】  本発明のレジスタによれば、長手方向に長く短手方向に短い細長で短手方向に傾斜した空気吹出口を有するレジスタであっても、前可動フィンを空気吹出口の傾斜側に振ったときの風の指向性を向上させることができる。
【図面の簡単な説明】
【００２８】
【図１】本発明の第１実施形態を示すレジスタの正面図である。
【図２】図１のII-II断面図である。
【図３】図１のIII-III断面図である。
【図４】上補助横フィン及び下補助横フィンの斜視図である。
【図５】レジスタの部分左側面図である。
【図６】カム部材の左側面図である。
【図７】前可動ルーバを下に振ったときの断面図である。
【図８】前可動ルーバを上に振ったときの断面図である。
【図９】前可動ルーバを下に振ったときの部分左側面図である。
【図１０】前可動ルーバを上に振ったときの部分左側面図である。
【図１１】第２実施形態のレジスタの正面図である。
【図１２】図１１のレジスタのXII-XII断面図である。
【図１３】前可動ルーバを左に振ったときの断面図である。
【図１４】前可動ルーバを右に振ったときの断面図である。
【発明を実施するための形態】
【００２９】  以下、本発明の一実施形態を図面に基づいて説明する。図１〜図１０は第１実施形態のレジスタを示しており、このレジスタのリテーナ２の正面には、ベゼル１が長方形横長の空気吹出口１７を開口して設けられる。空気吹出口１７は、図１に示すように、偏平で細長い長方形に形成され、長手方向（水平横方向）に長く短手方向（上下縦方向）に短い横長の長方形に形成されている。また、レジスタ正面の空気吹出口１７は、図２に示すように、その上部を上流側に後退させ下部を下流側に突き出すように傾斜して形成される。つまり、空気吹出口１７の前面は、その短手方向の垂直面に対し斜め下側に約３０度の角度で傾斜し、所謂スラント形状となっている。
【００３０】  ベゼル１の背面側にはリテーナ２に連結するための図示しない嵌合部が設けられ、その嵌合部にダクト状のリテーナ２が嵌合し接続される。ベゼル１の空気吹出口１７内側の左右側壁には、前可動ルーバ３用の軸受部が形成され、両側の軸受部には、前可動ルーバ３の中央横フィン７の両側端部に突出した支軸７ａが支持される。この中央横フィン７の支軸７ａはフィンの下流側端部の両側に突設さあれる。
【００３１】  さらに、ベゼル１の空気吹出口１７内側の左右側壁には、上補助横フィン８の両側端部に偏移して突出した偏移支軸８１、及び下補助横フィン９の両側に偏移して突出した偏移支軸９１が、各々回動可能に支持される。偏移支軸８１，９１は、上補助横フィン８、下補助横フィン９のフィン本体中央部から、アーム部８２，９２を介し外側に偏移して配置される。中央横フィン７、上補助横フィン８、及び下補助横フィン９は、所定の角度範囲で上下に回動可能に軸支される。
【００３２】  リテーナ２は、略方形のダクト状に形成され、内部に通風用の流路５が形成されている。リテーナ２の上壁と下壁に軸受部が所定間隔で形成され、それらの軸受部に図２，３に示すように後可動ルーバ４の縦フィン４ａが支軸４ｂにより軸支され、各縦フィン４ａは所定の角度範囲で左右に連動して回動するようになっている。このリテーナ２の前部に、正面に略長方形の空気吹出口１７を開口形成したベゼル１が、その空気吹出口１７を流路５の開口部に合わせた状態で嵌着され、流路５はリテーナ２内からベゼル１の空気吹出口１７まで連通して形成される。
【００３３】  前可動ルーバ３は、上下に回動調整可能な１枚の中央横フィン７と、中央横フィン７の上方と下方位置に配設され、中央横フィン７の回動操作に応じて上下に回動する上補助横フィン８及び下補助横フィン９と、中央横フィン７の回動操作に連動して、上補助横フィン８及び下補助横フィン９を回動させるフィン回動機構１０と、を備えて構成される。
【００３４】  図２に示すように、中央横フィン７の支軸７ａは、フィン本体の下流側端部の両側に突設され、中央横フィン７の回動操作時、支軸７ａを中心にフィン本体の上流側が上下に回動するようになっている。上補助横フィン８は流路５内の上壁面に近接して配置される一方、その上壁面には収納凹部６ａが形成され、その収納凹部６ａ内に上補助横フィン８が水平状態で収納されるようになっている。また、下補助横フィン９は流路５内の下壁面に近接して配置される一方、その下壁面には収納凹部６ｂが形成され、その収納凹部６ｂ内に下補助横フィン９が水平状態で収納されるようになっている。
【００３５】  また、上補助横フィン８と下補助横フィン９は、図４に示すように、その前後方向の幅が、中央横フィン７の前後方向の幅の約１／２と比較的短く形成される。さらに、上補助横フィン８及び下補助横フィン９は、そのフィン本体８３，９３の一面としての上面または下面が膨出曲面８４，９４として形成され、フィン本体８３，９３の他面としての下面または上面が平坦面８５，９５として形成される。つまり、上補助横フィン８及び下補助横フィン９のフィン本体８３，９３は、図４のように、円柱の一部をその軸方向に沿って、断面を弦状に切り取った形状であり、その一面に膨出曲面８４，９４が形成され、他面に平坦面８５，９５が形成されている。
【００３６】  さらに、図４に示すように、フィン本体８３，９３の両端部には、アーム部８２，９２がフィン本体８３，９３の軸と直角に取り付けられ、その両側のアーム部８２，９２の先端に、フィン本体８３，９３の軸と平行に偏移支軸８１，９１が突設される。つまり、フィン本体８３，９３の両側の軸に、アーム部８２，９２がクランク状に取り付けられ、上補助横フィン８及び下補助横フィン９のフィン本体８３，９３は、フィン本体からその外側に偏移した位置の偏移支軸８１，９１を中心に、略アーム部８２，９２の長さを半径として回動するように、偏移支軸８１，９１によって軸支される。
【００３７】  このような上補助横フィン８及び下補助横フィン９の偏移支軸８１，９１は、図２に示す如く、流路５の内側の上部と下部に位置し、両側の側壁で支持され、上補助横フィン８のフィン本体８３は、水平状態で上部の収納凹部６ａ内に収納され、下補助横フィン９フィン本体９３は、水平状態で下部の収納凹部６ｂ内に収納されるようになっている。
【００３８】  また、上補助横フィン８及び下補助横フィン９の偏移支軸８１，９１は、中央横フィン７の支軸７ａと平行につまりレジスタの左右水平方向に配設され、図７，８に示す如く、中央横フィン７を上または下に振ったとき、収納凹部６ａ，６ｂから流路５内に迫り出すように回動する。
【００３９】  具体的には、中央横フィン７を下側に振ったとき、上補助横フィン８は平坦面８５が中央横フィン７と略平行となるように回動し、下補助横フィン９は膨出曲面９４を上流側に向けて流路５側に迫り出すように回動する。また、中央横フィン７を上側に振ったときには、下補助横フィン９は平坦面９５が中央横フィン７と略平行となるように回動し、上補助横フィン８は膨出曲面８４を上流側に向けて流路５側に迫り出すように回動する構造となっている。
【００４０】  中央横フィン７の前後幅は、上補助横フィン８、下補助横フィン９の前後幅より幅広に形成され、特にその両端に突設された支軸７ａの位置は、中央横フィン７の前端部（下流側端部）に設けられ、この支軸７ａを中心に中央横フィン７は上下に回動操作可能となっている。
【００４１】  また、上補助横フィン８及び下補助横フィン９の偏移支軸８１，９１は、中央横フィン７の支軸７ａより上流側の流路５内に位置する。これにより、フィンがベゼル１の空気吹出口１７から前方に突出せずに内側に配設され、レジスタ正面の意匠性を向上させることができ、また、中央横フィン７に装着される操作ノブ１９の操作性も良好となる。
【００４２】  また、前可動ルーバ３の中央横フィン７の支軸７ａ、下補助横フィン９及び上補助横フィン８の偏移支軸９１，８１には、各軸を連動して回動するように、フィン回動機構１０が連結される。フィン回動機構１０は、中央横フィン７の下方への回動操作時、上補助横フィン８を中央横フィン７と同じ方向に同じ角度だけ回動させ、下補助横フィン９を中央横フィン７と同じ方向に中央横フィン７より大きい角度で回動させるように構成される。
【００４３】  また、フィン回動機構１０は、中央横フィン７の上方への回動操作時、下補助横フィン９を中央横フィン７と同じ方向に同じ角度だけ回動させ、上補助横フィン８を中央横フィン７と同じ方向に中央横フィン７より大きい角度で回動させるように構成される。フィン回動機構１０としては、後述のようにカム機構を用いて構成することができるが、複数の歯車を使用した歯車機構、或いはモータを使用した電気駆動による回動機構を用いることもできる。
【００４４】  カム機構を用いたフィン回動機構１０は、図５，６に示すように、中央横フィン７、上補助横フィン８及び下補助横フィン９用の各々のカム溝１３ａ〜１３ｃを設けたカム部材１３を備えて構成される。カム部材１３は、板状に形成され、リテーナ２の両側部において、カム支持部１６により上下往復移動可能に縦に支持されて配設される。カム部材１３の各カム溝１３ａ〜１３ｃには各々カムロール１４ａ〜１４ｃが移動可能に係合する。中央横フィン７用のカムロール１４ｃはアーム１１を介して中央横フィン７の支軸７ａに連結され、上補助横フィン８用のカムロール１４ａはアーム１５ａを介して上補助横フィン８の偏移支軸８１に連結され、下補助横フィン９用のカムロール１４ｂはアーム１５ｂを介して下補助横フィン９の偏移支軸９１に連結される。
【００４５】  つまり、カム部材１３は、図３，６に示すように、板状に形成されてその内側に３個のカム溝１３ａ〜１３ｃが形成され、リテーナ２の外側部に設けたカム支持部１６によって、その後縁部を上下に摺動可能に保持され、中央横フィン７を上に振ったとき下側に摺動し、中央横フィン７を下に振ったとき、上側に摺動する構造である。
【００４６】  このために、カム部材１３の略中央には長孔状のカム溝１３ｃが図６のように形成され、そのカム溝１３ｃにカムロール（カム面を転動する従動子）１４ｃが係合する。また、カム部材１３の上部と下部には、カムロール１４ａ，１４ｂを移動させるためのカム溝１３ａ，１３ｂが設けられ、カム溝１３ａ，１３ｂは、略くの字状に曲折して形成されている。つまり、中央横フィン７を下に例えば３０°振ったとき、上補助横フィン８が中央横フィン７と同じ方向に３０°だけ下側に回動し、且つ下補助横フィン９が上流側に９０°だけ上側に迫り出すように回動し、さらに、中央横フィン７を上に例えば３０°振ったとき、下補助横フィン９が中央横フィン７と同じ方向に３０°だけ上側に回動し、且つ上補助横フィン８が上流側に９０°だけ下側に迫り出すように、カム溝１３ａ，１３ｂは、板状のカム部材１３内に略くの字状に曲折して形成される。
【００４７】  カム部材１３のカム溝１３ｃに係合する中央横フィン用のカムロール１４ｃは、アーム１１を介して中央横フィン７の支軸７ａに連結される。つまり、支軸７ａの端部にアーム１１が固定され、アーム１１の先端にカムロール１４ｃが回転自在に取り付けられる。同様に、カム溝１３ｂに係合する下補助横フィン用のカムロール１４ｂは、アーム１５ｂを介して下補助横フィン９の偏移支軸９１に連結される。つまり、アーム１５ｂの末端は偏移支軸９１に固定され、下補助横フィン用のカムロール１４ｂはアーム１５ｂの先端に回転自在に取り付けられる。同様に、カム溝１３ａに係合する上補助横フィン用のカムロール１４ａは、アーム１５ａを介して上補助横フィン８の偏移支軸８１に連結される。つまり、アーム１５ａの末端は偏移支軸８１に固定され、上補助横フィン用のカムロール１４ａはアーム１５ａの先端に回転自在に取り付けられる。
【００４８】  このように構成されたフィン回動機構１０の動作によって、中央横フィン７が図２、５のように水平姿勢のとき、上補助横フィン８と下補助横フィン９は、同じ水平姿勢となって各々収納凹部６ａ、６ｂに収納された状態となる。一方、中央横フィン７を下方に回動操作した時、フィン回動機構１０によって、上補助横フィン８は図７，９のように、中央横フィン７と同じ方向に同じ角度（例えば３０°）だけ下方に回動して中央横フィン７と平行となり、下補助横フィン９は中央横フィン７と同じ方向に中央横フィン７より大きい角度（例えば９０°）だけ流路５内に迫り出すように回動して、流路５の流れ方向に対し垂直状態となる。
【００４９】  また、図８，１０のように、中央横フィン７を上方に回動操作した時、フィン回動機構１０の動作によって、下補助横フィン９は、中央横フィン７と同じ方向に同じ角度（例えば３０°）だけ上方に回動して中央横フィン７と平行となり、上補助横フィン８は中央横フィン７と同じ方向に中央横フィン７より大きい角度（例えば９０°）だけ流路５内に迫り出すように回動して、流路５の流れ方向に対し垂直状態となる。
【００５０】  なお、フィン回動機構１０は、この実施形態では図３などに示す如く、リテーナ２の外側に配設されているが、リテーナ２の内側の流路５内に配設してもよく、或いはリテーナ内または外側に位置しカバーされたカム室内に設けることもできる。また、フィン回動機構１０は図面ではリテーナ２の両側に配設されるが、一方の側にのみ設けてもよい。
【００５１】  図２，３に示すように、前可動ルーバ３の上流側の流路５内に、後可動ルーバ４が配設される。後可動ルーバ４には、複数の縦フィン４ａが左右に一定の間隔をおいて縦に並設される。各縦フィン４ａは上部と下部に支軸４ｂが突設され、上下の支軸４ｂは流路５の上壁と下壁に設けた軸受部に軸支され、左右に回動可能に支持されている。
【００５２】  上記中央横フィン７には、図２，３に示すように、操作ノブ１９が左右長手方向に摺動可能に外嵌され、操作ノブ１９を把持して中央横フィン７を上下方向に回動操作可能とし、且つ操作ノブ１９を左右方向に摺動させることにより、後可動ルーバ４を左右に振って、左右への風向を変える構造となっている。
【００５３】  このために、図３に示すように、連係部として操作ノブ１９の後部にラック部１８ａが設けられ、後可動ルーバ４の１枚の縦フィン４ａに扇状の歯車部１８ｂが設けられ、ラック部１８ａと歯車部１８ｂが噛合し、操作ノブ１９をスライド操作したとき、縦フィン４ａが回動する。また、その縦フィン４ａを含む全ての縦フィン４ａの支軸４ｂには、図示しないクランク部が軸着され、各クランク部のクランク軸が１本のリンクバーにより相互に連結される。これにより、操作ノブ１９を中央横フィン７上で左右に摺動させたとき、後可動ルーバ４の各縦フィン４ａが連動して左右に回動し、風向を左右に調整する構造である。
【００５４】  中央横フィン７は、その両側の下流側端部に突設した支軸７ａによって、回動可能に軸支される。中央横フィン７の上下方向の回動操作は、そこに外嵌した操作ノブ１９を持って行うが、中央横フィン７の前端部（下流側端部）がベゼル１の空気吹出口１７前方に突き出す部分が少なくないため、中央横フィン７の突出によるレジスタ正面の意匠性は良好となり、操作ノブ１９を持って中央横フィン７を上下に回動操作したときの操作性も良好である。
【００５５】  次に、上記構成のレジスタの動作を、図２、図７〜図１０を参照して説明する。レジスタは、自動車の車内のインストルメントパネルやダッシュボードの部分に、背面側の空気導入口を図示しない通風ダクトに接続して装着される。レジスタの空気吹出口１７はインストルメントパネルやダッシュボードの前面に露出するが、空気吹出口１７の上部が上流側に後退し、下部が下流側に突出するように傾斜しているため、インストルメントパネルまたはダッシュボードの傾斜形状に対し、デザイン的に合わせることができる。また、空気吹出口１７が左右に細長く上下に薄いシンプルなデザインとなるので、インストルメントパネルやダッシュボードに設けられるディスプレイや操作パネルの意匠性に悪影響を与えることはなく、寧ろそれらの意匠性を向上させることができる。
【００５６】  レジスタの正面に真直ぐ送風を行なう場合、図２のように、前可動ルーバ３の中央横フィン７は水平状態つまり真直ぐ前方を向く状態とする。この状態では、上補助横フィン８と下補助横フィン９は共に水平状態を保持し、流路５の上壁面と下壁面の収納凹部６ａ、６ｂ内に収納されている。したがって、流路５を流れる空気流は、上補助横フィン８と下補助横フィン９による空気抵抗を殆ど受けることなく、中央横フィン７の向く水平前方向に、非常に少ない圧力損失で送風される。これにより、通常の３枚の横フィンを空気吹出口に並設したレジスタに比べ、水平調整時の圧力損失を少なくすることができる。
【００５７】  一方、上記のように中央横フィン７が水平状態にあるとき、操作ノブ１９を操作して、図７，９のように、中央横フィン７を斜め下向き（例えば水平面に対し約３０°）に回動させると、フィン回動機構１０の作用により、上補助横フィン８が、中央横フィン７と同じ方向に同じ角度（約３０°）だけ回動して、平坦面８５が中央横フィン７と平行となり、下補助横フィン９は中央横フィン７と同じ方向に約９０°回動して流路５内に垂直に迫り出すように回動する。
【００５８】  これにより、流路５から空気吹出口１７に向かって流れる空気流は、図７に示すように、流路５の中央から上部を流れる空気流が、上補助横フィン８と中央横フィン７の間などを通過し、フィンのガイドによって、空気吹出口１７から中央横フィン７の向く斜め下方に送風される。また、流路５の下部を流れる空気流は、流路５の下部に迫り出して垂直状態にある下補助横フィン９の膨出曲面９４に当たり、中央横フィン７の近傍に集められ、このとき、中央横フィン７の下側を通過して前方に直進する空気流は下補助横フィン９によって阻止される。これにより、中央横フィン７の近傍に集められた下部の空気流は、中央横フィン７の下面に押し付けられるように流れ、そして中央横フィン７にガイドされて、斜め下方に向けて送風される。
【００５９】  他方、図１０のように、操作ノブ１９を操作して、中央横フィン７を斜め上向き（例えば水平面に対し約３０°）に回動させると、フィン回動機構１０の作用により、下補助横フィン９が、中央横フィン７と同じ方向に同じ角度（約３０°）回動して、平坦面９５が中央横フィン７と平行となり、上補助横フィン８は中央横フィン７と同じ方向に約９０°回動して流路５内に垂直に迫り出すように回動する。
【００６０】  これにより、流路５から空気吹出口１７に向かって流れる空気流は、図８に示すように、流路５の中央から下部を流れる空気流が、下補助横フィン９と中央横フィン７の間などを通り、フィンによりガイドされて、空気吹出口１７から中央横フィン７の向く斜め上方に送風される。また、流路５の上部を流れる空気流は、流路５の上部に迫り出して垂直状態の上補助横フィン８の膨出曲面８４に当たり、中央横フィン７の近傍に集められるように流れる。このため、中央横フィン７の上側を通過して前方に直進する空気流は上補助横フィン８によって阻止され、中央横フィン７の近傍に集められた上部の空気流は、中央横フィン７の上面に押し付けられるように流れ、中央横フィン７の案内により、斜め上方に向けて送風される。
【００６１】  このように、前可動ルーバ３を下側に振った場合には、中央横フィン７が斜め下方を向くとともに、上補助横フィン８の平坦面８５が中央横フィン７と略平行となり且つ上補助横フィン８が流路５側に向けて迫り出すように回動するため、上補助横フィン８と中央横フィン７との間などからフィンによって良好にガイドされた空気流を下方に送風することができる。また、このとき、中央横フィン７の下側を通過して前方に直進する空気流は下補助横フィン９によって阻止され、且つ下補助横フィン９の膨出曲面９４が上流側に向けて流路側に迫り出すように下補助横フィン９が回動するため、流路５の下部を通過する空気流が下補助横フィン９の膨出曲面９４によって中央横フィン７側に押し付けられるように作用する。このため、中央横フィン７が向く下方への送風の指向性を大きく向上させることができる。
【００６２】  つまり、空気吹出口１７の下部が前方に突き出し、その上部が後方に後退するように、空気吹出口１７が傾斜する場合、従来のレジスタでは、流路５の下部を真直ぐ水平方向に流れる空気流が斜め下方に向かう空気流に当たり、下方への送風の指向性が悪化するが、この前可動ルーバ３では、下補助横フィン９が流路５の下部を通過する空気流を中央横フィン７側に曲げて押し付けるように作用するため、下方への送風の指向性が大きく向上することとなる。
【００６３】  一方、前可動ルーバ３を上側に振った場合、中央横フィン７が斜め上方を向くとともに、下補助横フィン９の平坦面９５が中央横フィン７と略平行となり且つ下補助横フィン９が流路５側に向けて迫り出すように回動するため、下補助横フィン９と中央横フィン７との間からフィンによって良好にガイドされた空気流を上方に送風することができる。また、このとき、中央横フィン７の上側を通過して前方に直進する空気流は上補助横フィン８によって阻止され、上補助横フィン８の膨出曲面８４が上流側に向けて流路５側に迫り出すように回動するので、流路５の上部を通過する空気流が上補助横フィン８の膨出曲面８４によって中央横フィン７側に押し付けられるように作用し、これにより、上方への送風の指向性を向上させることができる。
【００６４】  図１１〜図１４は第２実施形態のレジスタを示している。このレジスタは、図１１に示すように、その前面形状を、上記第１実施形態のレジスタを９０度横転させた形状としており、上下縦方向に長く水平横方向に短い長方形の空気吹出口２５を有し、空気吹出口２５の内側前部に、上下縦方向に沿って縦長の前可動ルーバ２３が配設される。空気吹出口２５は一方（右側）の側部を上流側に後退させ他方（左側）の側部を下流側に突き出すように、短手方向（左右の幅方向）に傾斜している。なお、上記レジスタと同様な構成部分については、図１１に上記と同じ符号を付してその説明は省略する。
【００６５】  図１１，１２に示す如く、前可動ルーバ２３は１枚の中央縦フィン２７を空気吹出口２５内側の略左右中央に、上下縦方向に向け回動可能に軸支する一方、空気吹出口２５内の後退側の側壁面に設けた収納凹部６ａに、後退側補助縦フィン２８が収納可能に且つ上下縦方向に向けて回動可能に軸支される。同様に、空気吹出口２５内の突出側の側壁面に設けた収納凹部６ｂには、突出側補助縦フィン２９が収納可能に上下縦方向に向けて回動可能に軸支される。
【００６６】  中央縦フィン２７は略左右中央で上部と下部に突設した支軸２７ａにより回動可能に軸支される。後退側補助縦フィン２８及び突出側補助縦フィン２９は、流路３５と平行な状態で、収納凹部６ａ，６ｂ内に収納され、中央縦フィン２７を左右に振ったとき、流路３５側に迫り出すように回動可能に軸支される。
【００６７】  また、後退側補助縦フィン２８と突出側補助縦フィン２９は、図１２に示すように、その前後方向の幅が、中央縦フィン２７の前後方向の幅の約１／２と比較的短く形成され、一面が円筒外周面の一部とする形状に形成される。後退側補助縦フィン２８及び突出側補助縦フィン２９は、上述の図４に示すものと同様に、図１２の如く、そのフィン本体２８３，２９３の外側面（一面）が膨出曲面２８４，２９４として形成され、フィン本体２８３，２９３の内側面（他面）が平坦面２８５，２９５として形成される。つまり、後退側補助縦フィン２８及び突出側補助縦フィン２９のフィン本体２８３，２９３は、図１２のように、円柱の一部をその軸方向に沿って、断面を弦状に切り取った形状であり、その外側面に膨出曲面２８４，２９４が形成され、内側面に平坦面２８５，２９５が形成されている。
【００６８】  さらに、後退側補助縦フィン２８及び突出側補助縦フィン２９は、図４に示すフィンと同様、フィン本体２８３，２９３の両端部に、アーム部２８２，２９２がフィン本体２８３，２９３の軸と直角に設けられる。その両側のアーム部２８２，２９２の先端に、フィン本体２８３，２９３の軸と平行に偏移支軸２８１，２９１が突設される。つまり、フィン本体２８３，２９３の両側の軸に、アーム部２８２，２９２がクランク状に設けられ、後退側補助縦フィン２８及び突出側補助縦フィン２９のフィン本体２８３，２９３は、フィン本体からその外側に偏移した位置の偏移支軸２８１，２９１を中心に、略アーム部２８２，２９２の長さを半径として回動するように、偏移支軸２８１，２９１によって軸支される。
【００６９】  このような後退側補助縦フィン２８及び突出側補助縦フィン２９の偏移支軸２８１，２９１は、図１１、１２に示すように、流路３５の内側の上部と下部に位置し、両側の側壁で回動可能に支持され、これにより、後退側補助縦フィン２８のフィン本体２８３は、上部の収納凹部６ａ内に収納可能であり、突出側補助縦フィン２９のフィン本体２９３は、下部の収納凹部６ｂ内に収納可能に配設される。
【００７０】  また、後退側補助縦フィン２８及び突出側補助縦フィン２９の偏移支軸２８１，２９１は、中央縦フィン２７の支軸２７ａと平行につまりレジスタの垂直縦方向に配設され、図１３，１４に示す如く、中央縦フィン２７の回動に応じて、収納凹部６ａ，６ｂから流路３５内に迫り出すように回動する。
【００７１】  具体的には、中央縦フィン２７を下側に振ったとき、後退側補助縦フィン２８は平坦面２８５が中央縦フィン２７と略平行となるように回動し、突出側補助縦フィン２９は膨出曲面２９４を上流側に向けて流路３５側に迫り出すように回動する。また、中央縦フィン２７を右側に振ったときには、突出側補助縦フィン２９は平坦面２９５が中央縦フィン２７と略平行となるように回動し、後退側補助縦フィン２８は膨出曲面２８４を上流側に向けて流路３５側に迫り出すように回動する構造となっている。このような動作は、フィン回動機構１０により連動して行われる。
【００７２】  中央縦フィン２７の前後幅は、後退側補助縦フィン２８、突出側補助縦フィン２９の前後幅より幅広に形成され、特にその両端に突設された支軸２７ａの位置は、中央縦フィン２７の前端部（下流側端部）に設けられ、この支軸２７ａを中心に中央縦フィン２７はその上流側端部を上下に回動する構造となっている。これにより、中央縦フィン２７がベゼル２１の空気吹出口２５から前方に突出せずに内側に配設されるため、レジスタ正面の意匠性を向上させることができ、また、中央縦フィン２７に装着される操作ノブ２６の操作性も良好となる。
【００７３】  前可動ルーバ２３の中央縦フィン２７の支軸２７ａ、突出側補助縦フィン２９及び後退側補助縦フィン２８の偏移支軸２９１，２８１は、フィン回動機構１０により連動して回動するようになっている。フィン回動機構１０は、上述した図５，６に示すカム機構と同様な機構を用いて構成されるため、詳細な構造の説明は省略するが、中央縦フィン２７の左方への回動操作時、後退側補助縦フィン２８を中央縦フィン２７と同じ方向に同じ角度だけ回動させ、突出側補助縦フィン２９を中央縦フィン２７と同じ方向に中央縦フィン２７より大きい角度で回動させるように構成される。また、フィン回動機構１０は、中央縦フィン２７の右方への回動操作時、突出側補助縦フィン２９を中央縦フィン２７と同じ方向に同じ角度だけ回動させ、後退側補助縦フィン２８を中央縦フィン２７と同じ方向に中央縦フィン２７より大きい角度で回動させるように構成される。
【００７４】  さらに、フィン回動機構１０の動作によって、中央縦フィン２７が図１１，１２のように真直ぐ正面を向くとき、後退側補助縦フィン２８と突出側補助縦フィン２９は、同じ姿勢となって各々収納凹部６ａ、６ｂに収納され、中央縦フィン２７を左方（突出側）に回動操作した時、フィン回動機構１０によって、後退側補助縦フィン２８は図１３のように、中央縦フィン２７と同じ方向に同じ角度（例えば３０°）だけ左方に回動して中央縦フィン２７と平行となり、突出側補助縦フィン２９は中央縦フィン２７と同じ方向に中央縦フィン２７より大きい角度（例えば９０°）だけ流路３５内に迫り出すように回動して、流路３５の流れ方向に対し垂直状態となる。
【００７５】  また、中央縦フィン２７を図１４の右方に回動操作した時、フィン回動機構１０によって、突出側補助縦フィン２９は図１４の如く、中央縦フィン２７と同じ方向に同じ角度（例えば約３０°）回動して中央縦フィン２７と平行となり、後退側補助縦フィン２８は中央縦フィン２７と同じ方向に中央縦フィン２７より大きい角度（例えば約９０°）だけ流路３５内に迫り出すように回動して、流路３５の流れ方向に対し垂直状態となる構造である。
【００７６】  一方、リテーナ２２の流路３５内における前可動ルーバ２３の上流側には、図１１，１２に示すように、後可動ルーバ２４が配設される。後可動ルーバ２４は、複数の横フィン２４ａが上下に一定の間隔をおいて水平横方向に配設される。各横フィン２４ａには左右両側に支軸２４ｂが突設され、両側の支軸２４ｂは流路３５の両側壁に設けた軸受部に軸支され、後可動ルーバ２４の各横フィン２４ａは上下に回動可能に支持される。
【００７７】  中央縦フィン２７には、図１１，１２に示すように、操作ノブ２６が上下方向に摺動可能に外嵌され、操作ノブ２６を把持して中央縦フィン２７を左右方向に回動操作可能とし、且つ操作ノブ２６を上下方向に摺動させることにより、後可動ルーバ２４を上下に振って、上下への風向を変える構造となっている。
【００７８】  このために、操作ノブ２６の後部には、連係部として、上記図３と同様のラック部が設けられ、後可動ルーバ２４の１枚の横フィン２４ａに扇状の歯車部が設けられ、ラック部と歯車部が噛合し、操作ノブ２６を上下にスライド操作したとき、横フィン２４ａが上下に回動する。また、その横フィン２４ａを含む全ての横フィン２４ａの支軸２４ｂには、図示しないクランク部が軸着され、各クランク部のクランク軸が１本のリンクバーにより相互に連結される。
【００７９】  これにより、操作ノブ２６を中央縦フィン２７上で上下に摺動させたとき、後可動ルーバ２４の各横フィン２４ａが連動して上下に回動し、風向を上下に調整する構造となっている。
【００８０】  次に、上記構成のレジスタの動作を、図１２〜図１４を参照して説明すると、正面に向けて真直ぐ送風を行なう場合、図１２のように、前可動ルーバ２３の中央縦フィン２７は真直ぐ前方を向く状態とする。この状態では、後退側補助縦フィン２８と突出側補助縦フィン２９は共に流路３５と平行状態を保持し、流路３５の側壁面の収納凹部６ａ、６ｂ内に収納される。したがって、流路３５を流れる空気流は、後退側補助縦フィン２８と突出側補助縦フィン２９による空気抵抗を殆ど受けることなく、中央縦フィン２７の向く前方に、非常に少ない圧力損失で送風される。これにより、通常の３枚の横フィンを空気吹出口に並設したレジスタに比べ圧力損失を少なくすることができる。
【００８１】  一方、操作ノブ２６を操作して、図１３のように、中央縦フィン２７を空気吹出口２５の突出側に例えば約３０°回動させると、フィン回動機構１０の作用により、後退側補助縦フィン２８が、中央縦フィン２７と同じ方向に同じ角度（約３０°）だけ回動し、フィンの平坦面２８５が中央縦フィン２７と平行となる。また、突出側補助縦フィン２９は中央縦フィン２７と同じ方向に９０°だけ回動し、流路３５内に垂直に迫り出すように回動する。
【００８２】  これにより、流路３５から空気吹出口２５に向かって流れる空気流は、図１３に示すように、流路３５の中央から右側壁寄りに流れる空気流が、後退側補助縦フィン２８と中央縦フィン２７によりガイドされて、空気吹出口２５から斜め左方に向けて送風される。また、流路３５の左側壁寄りに流れる空気流は、流路３５内左側に迫り出して垂直状態にある突出側補助縦フィン２９の膨出曲面２９４に当たり、中央縦フィン２７の近傍に集められる。これにより、中央縦フィン２７の左側を通過して前方に直進する空気流は突出側補助縦フィン２９によって阻止されることとなる。
【００８３】  このため、中央縦フィン２７に沿って左方向に向かう空気流が、直進する空気流により悪影響を受けることがなく、中央縦フィン２７の近傍に集められる空気流は、中央縦フィン２７の左側面に押し付けられるように曲げられ、その後、中央縦フィン２７に沿って進むため、空気流は斜め左方向に向けて指向性良く送風される。
【００８４】  このように、前可動ルーバ２３を左側つまり空気吹出口２５の突出側に振った場合には、中央縦フィン２７が斜め左方向を向くとともに、後退側補助縦フィン２８の平坦面２８５が中央縦フィン２７と略平行となり且つ突出側補助縦フィン２９が流路３５側に向けて迫り出すように回動するため、突出側の壁面に沿って真直ぐに吹出される空気流は阻止され、左側に向かう空気流に当たってその指向性を悪化させることがなく、後退側補助縦フィン２８と中央縦フィン２７との間からフィンによって良好にガイドされた空気流を、突出した空気吹出口２５の左方向に指向性良く送風することができる。
【００８５】  一方、図１４のように、操作ノブ２６を操作して中央縦フィン２７を、空気吹出口２５の後退側（レジスタ正面に向かって右側）に回動させると、フィン回動機構１０の動作により、突出側補助縦フィン２９が中央縦フィン２７と同じ方向に同じ角度（約３０°）回動する。後退側補助縦フィン２８は、中央縦フィン２７と同じ方向に中央縦フィン２７より大きい角度（約９０°）回動し、その膨出曲面２９４を流路３５の上流側に迫り出すように垂直に向ける状態となる。
【００８６】  これにより、流路３５から空気吹出口２５に向かって流れる空気流は、図１４に示すように、流路３５の中央から左側壁寄りに流れる空気流が、突出側補助縦フィン２９と中央縦フィン２７の間などを通り、フィンによりガイドされて、空気吹出口２５から斜め右に向けて送風される。また、流路３５の中央から右側壁寄りに流れる空気流は、流路３５内右側に迫り出して垂直状態にある後退側補助縦フィン２８の膨出曲面２８４に当たり、中央縦フィン２７側に集められる。これにより、中央縦フィン２７の右側を通過して前方に直進する空気流は後退側補助縦フィン２８によって阻止され、中央縦フィン２７の近傍に集められた空気流は、中央縦フィン２７の右側面に押し付けられるように流れ、その後、中央縦フィン２７に沿ってガイドされ、斜め右方向に向けて指向性良く送風される。
【００８７】  なお、上記第１、第２実施形態のレジスタでは、空気吹出口１７、２５の形状を細長い長方形としたが、必ずしも長方形とはせずに、楕円形のような細長い異形形状の空気吹出口とすることもできる。
【００８８】  また、上補助横フィン８と下補助横フィン９または後退側補助縦フィン２８と突出側補助縦フィン２９を収納する収納凹部６ａ、６ｂは、段差をつけた段差状凹部としたが、上補助横フィン８と下補助横フィン９または後退側補助縦フィン２８と突出側補助縦フィン２９を収納できる凹部であれば、凹状曲面を有した凹部などその形状は任意である。
【００８９】  また、上記空気吹出口２５は、向かって右側の側部を上流側に後退させ左側の側部を下流側に突き出すように傾斜させたが、それとは逆に、向かって左側の側部を上流側に後退させ右側の側部を下流側に突き出すように傾斜させて空気吹出口を形成することもでき、この場合、上記前可動ルーバ２３の後退側補助縦フィン２８と突出側補助縦フィン２９の左右の位置関係は、上記とは逆になる。
【符号の説明】
【００９０】  １      ベゼル  ２      リテーナ  ３      前可動ルーバ  ４      後可動ルーバ  ４ａ    縦フィン  ４ｂ    支軸  ５      流路  ６ａ    収納凹部  ６ｂ    収納凹部  ７      中央横フィン  ７ａ    支軸  ８      上補助横フィン  ９      下補助横フィン  １０    フィン回動機構  １１    アーム  １３    カム部材  １３ａ  カム溝  １３ｂ  カム溝  １３ｃ  カム溝  １４ａ  カムロール  １４ｂ  カムロール  １４ｃ  カムロール  １５ａ  アーム  １５ｂ  アーム  １６    カム支持部  １７    空気吹出口  １８ａ  ラック部  １８ｂ  歯車部  １９    操作ノブ  ２１    ベゼル  ２２    リテーナ  ２３    前可動ルーバ  ２４    後可動ルーバ  ２４ａ  横フィン  ２４ｂ  支軸  ２５    空気吹出口  ２６    操作ノブ  ２７    中央縦フィン  ２７ａ  支軸  ２８    後退側補助縦フィン  ２９    突出側補助縦フィン  ３５    流路  ８１    偏移支軸  ８２    アーム部  ８３    フィン本体  ８４    膨出曲面  ８５    平坦面  ９１    偏移支軸  ９４    膨出曲面  ９５    平坦面  ２８１  偏移支軸  ２８２  アーム部  ２８３  フィン本体  ２８４  膨出曲面  ２８５  平坦面  ２９１  偏移支軸  ２９３  フィン本体  ２９４  膨出曲面  ２９５  平坦面
【図１】
2013128763.tif 000003
【図２】
2013128763.tif 000004
【図３】
2013128763.tif 000005
【図４】
2013128763.tif 000006
【図５】
2013128763.tif 000007
【図６】
2013128763.tif 000008
【図７】
2013128763.tif 000009
【図８】
2013128763.tif 000010
【図９】
2013128763.tif 000011
【図１０】
2013128763.tif 000012
【図１１】
2013128763.tif 000013
【図１２】
2013128763.tif 000014
【図１３】
2013128763.tif 000015
【図１４】
2013128763.tif 000016
【国際調査報告】
2013128763.tif 000017
2013128763.tif 000018
2013128763.tif 000019
2013128763.tif 000020